(57)【要約】【課題】オートターン機能により表示装置の回転を行う際に表示される画像を、回転方向が直感的に分かりやすいものに改善した、利便性の高い表示装置を提供する。【解決手段】台座と、台座に回転可能に支持され、少なくともモニタを含む上位装置部とから構成される表示装置であって、台座の支持点を回転軸として上位装置部を回転駆動させる回転駆動部を備えている。また、回転指示を受け付けて前記回転駆動部の制御を行う制御部と、ＯＳＤ処理部とを備えている。制御部は、上位装置部の回転指示を受け付けた際に、上位装置部の回転方向を示す円形矢印画像をＯＳＤ処理部によりモニタに出力する。また制御部は、ユーザからオートターン機能の実施指示等を受け付けた際に、上位装置部が回転可能である方向を示す複数の円形矢印画像をＯＳＤ処理部により表示する。【選択図】図１
2009080186.tif 000002
【特許請求の範囲】
【請求項１】
台座に回転可能に支持された表示部と、
前記台座による支持点を回転軸として、前記表示部を時計回り方向及び反時計回り方向に回転させる回転駆動部と、
前記表示部の回転指示を受け付けて前記回転駆動部の制御を行う制御部と、
画像信号の生成を行い、生成した前記画像信号を前記表示部へ出力される画像信号に重畳し、前記表示部に出力する画像信号重畳部と、
を備えた表示装置であって、
前記制御部が、前記表示部の回転指示を受け付けた際に、前記表示部の回転方向を示す円形矢印画像を表示するための画像信号を前記画像信号重畳部により生成して前記表示部に出力すること
を特徴とする表示装置。
【請求項２】
前記制御部が、前記表示部の回転可能方向を示す複数の円形矢印画像を表示するための画像信号を前記画像信号重畳部により生成して前記表示部に出力し、出力した複数の前記円形矢印画像に対する選択指示を受け付け、選択された円形矢印画像に対応する回転方向へ前記表示部を回転駆動するように前記回転駆動部へ指示すること
を特徴とする請求項１に記載の表示装置。
【請求項３】
前記制御部が、前記画像信号重畳部により前記円形矢印画像を表示するための画像信号を生成する際に、前記円形矢印画像の上方向及び下方向が前記表示部の前面及び背面のいずれを表すかを示す文字画像を、前記円形矢印画像の上下に表示するための画像信号を生成するように前記画像信号重畳部へ指示すること
を特徴とする請求項２に記載の表示装置。
【請求項４】
前記制御部が、前記画像信号重畳部により前記円形矢印画像を表示するための画像信号を生成する際に、前記表示部の上面を示す上面画像を、前記上面画像が示す前記表示部の前面及び背面と前記円形矢印が示す前記表示部の前面及び背面とが一致するように表示するための画像信号を生成するように前記画像信号重畳部へ指示すること
を特徴とする請求項２に記載の表示装置。
【請求項５】
前記回転駆動部に対して前記表示部の回転指示を与えるための回転指示ボタンを含むリモコン装置を備え、
前記回転指示ボタンの表面に、前記表示部の回転方向を指定するための時計回り方向の円形矢印、及び反時計回り方向の円形矢印が描画されていること
を特徴とする請求項１に記載の表示装置。
【請求項６】
前記制御部が、前記表示部の回転指示を受け付けた際に、前記表示部の回転方向を示すための屈折部を備えた多角形矢印画像を表示するための画像信号を前記画像信号重畳部により生成して前記表示部に出力すること
を特徴とする請求項１に記載の表示装置。
【発明の詳細な説明】
【技術分野】
【０００１】
本発明は、オートターン機能を備えた表示装置に関するものであり、特に表示装置の回転方向をユーザが容易に把握することができる表示装置に関する。
【背景技術】
【０００２】
近年、テレビジョン装置やパソコンモニタ等の表示装置として、液晶パネルを用いた薄型の表示装置が広く普及している。このような薄型の表示装置は、軽量、且つ設置スペースが小さいため、その設置角度をユーザが適宜変更できるものが多い。
【０００３】
上記のような薄型表示装置が備える機能の一つとして、オートターン機能が存在する。オートターン機能とは、ユーザが表示装置を見ている場所からリモコンのボタン操作により、表示装置の角度を変更する機能である。これによりユーザは、座ったままで表示装置の向きを自分の正面にあわせることができる。このため、自分の位置を変更することなく、最適なポジションで画像の視聴を行うことができる。
【０００４】
図１０は、従来のオートターン機能の実行指示が検知された際に、表示装置のモニタにＯＳＤ表示されるオートターン操作画面８０の一例である。オートターン操作画面８０は少なくとも、矢印アイコン８１ａ、矢印アイコン８１ｂ、及び状態表示領域８２を含むように構成されている。矢印アイコン８１ａは画面左端部、矢印アイコン８１ｂは画面右端部に表示されている。ユーザは表示装置が備える操作部の操作を行うことにより、どちらか一方の矢印アイコンを選択可能である。
【０００５】
選択中の矢印アイコンは矢印アイコン８１ｂのように実線になり、非選択中の矢印アイコンは矢印アイコン８１ａのように破線になる。この状態において決定ボタンが押下されると、選択中の矢印アイコン８１ｂ方向への回転指示が実行されたこととなり、図１１に示す状態に遷移する。なお図１１は、オートターン機能による回転処理中の画面を示したものである。
【０００６】
また、上記の例ではＯＳＤ表示画面によりオートターン機能の回転方向を選択指示しているが、図１２に示すようなリモコン装置により回転方向を選択指示できる表示装置も存在する。リモコン９０は複数の操作ボタンを供えているが、その中にオートターンボタン９２が含まれている。オートターンボタン９２は右方向の矢印ボタンと、左方向の矢印ボタンとから構成されている。このどちらかのボタンが押下されると、上記ＯＳＤ表示画面において表示される矢印アイコン８１が選択された場合と同じ回転指示が、表示装置に対して発行される。
【０００７】
しかしながら図１０及び図１１に示す矢印アイコン８１、及び図１２に示すオートターンボタン９２矢印ボタンは、回転方向を示す矢印として直線形状の矢印が用いられている。そのため、矢印が示す画面端部が、前面方向に移動するように回転するのか、或いは背面方向に移動するように回転するのかが直感的に分かりづらいという問題があった。従って、ユーザが意図したのとは反対方向に回転する弊害が発生する可能性があった。
【０００８】
上記のような問題に関連して特許文献１においては、投映画像から被投映面に対する相対的な歪みや傾きや位置ずれを検知し、最適な設置方向や設置傾斜角度や設置位置へユーザが投映型表示装置を設置調整する表示装置が開示されている。この表示装置は、投映画像がスクリーン等の被投映面に対して歪みや傾きや位置ずれがある場合、投映型表示装置を最適な設置位置や設置傾斜角度や設置方向に設置調整するための案内となるガイド表示を行い、該ガイド表示に従ってユーザが設置調整操作を適宜行うことにより、より簡単に高品質の投映画像を得ることが可能である。
【特許文献１】特開２００５−２４６６８号公報
【発明の開示】
【発明が解決しようとする課題】
【０００９】
特許文献１の表示装置によれば、投映画像と被投映面との関係において内部的に発生する不具合を調整するための補助を行うことはできる。しかしオートターン機能のように、視聴のたびにユーザが適宜変更を行う設置方向や設置角度の変化に関しては、開示も示唆もなされていない。
【００１０】
本発明は、上記の問題を鑑みてなされたものであり、オートターン機能により表示装置の回転を行う際に表示される画像を、回転方向が直感的に分かりやすいものに改善した、利便性の高い表示装置を提供することにある。
【課題を解決するための手段】
【００１１】
上記目的を達成するために本発明の表示装置は、台座に回転可能に支持された表示部と、前記台座による支持点を回転軸として、前記表示部を時計回り方向及び反時計回り方向に回転させる回転駆動部と、前記表示部の回転指示を受け付けて前記回転駆動部の制御を行う制御部と、画像信号の生成を行い、生成した前記画像信号を前記表示部へ出力される画像信号に重畳し、前記表示部に出力する画像信号重畳部とを備えた表示装置であって、前記制御部が、前記表示部の回転指示を受け付けた際に、前記表示部の回転方向を示す円形矢印画像を表示するための画像信号を前記画像信号重畳部により生成して前記表示部に出力することを特徴としている。
【００１２】
これによると、本発明の表示装置は、台座と、台座に回転可能に支持され、少なくともモニタ（＝表示部）を含む上位装置部とから構成されている。台座の支持点には、上位装置部を上方から見た場合における時計回り方向、及び反時計回り方向に回転駆動させるための回転駆動部が備えられている。また表示装置は、回転指示を受け付けて前記回転駆動部の制御を行う制御部と、ＯＳＤ（＝On Screen Display）表示を行うためのＯＳＤ処理部（＝画像信号重畳部）とを備えている。
【００１３】
制御部は、上位装置部の回転指示を受け付けた際に、上位装置部の回転方向を示す円形矢印画像をＯＳＤ処理部によりモニタに出力する。これによりモニタには、回転方向を示す円形矢印画像が表示され、ユーザが回転方向を視認できるようになる。
【００１４】
また上記目的を達成するために本発明の表示装置は、前記制御部が、前記表示部の回転可能方向を示す複数の円形矢印画像を表示するための画像信号を前記画像信号重畳部により生成して前記表示部に出力し、出力した複数の前記円形矢印画像に対する選択指示を受け付け、選択された円形矢印画像に対応する回転方向へ前記表示部を回転駆動するように前記回転駆動部へ指示することを特徴としている。
【００１５】
これによると、制御部はユーザからオートターン機能の実施指示を受け付けた場合等に、上位装置部が回転可能である方向を示す複数の円形矢印画像をＯＳＤ処理部により表示する。そして表示した円形矢印画像の選択を待ち受ける状態となる。選択指示を検知すると、指示された円形矢印画像が示す回転方向へ上位装置部を回転駆動するように回転駆動部へ指示を行う。これにより、円形矢印画像により指示された方向へ上位装置部が回転する。
【００１６】
また、上記目的を達成するために本発明の表示装置は、前記制御部が、前記画像信号重畳部により前記円形矢印画像を表示するための画像信号を生成する際に、前記円形矢印画像の上方向及び下方向が前記表示部の前面及び背面のいずれを表すかを示す文字画像を、前記円形矢印画像の上下に表示するための画像信号を生成するように前記画像信号重畳部へ指示することを特徴としている。
【００１７】
これによると、制御部はＯＳＤ処理部により円形矢印画像を表示する際に、円形矢印画像の上方向及び下方向が上位装置部の前面及び背面のいずれを表すかを示す文字画像をＯＳＤ処理部により表示する。これにより例えば、回転方向円形矢印の上側近傍に、「背面」という文字列を含む文字画像が表示される。
【００１８】
また、上記目的を達成するために本発明の表示装置は、前記制御部が、前記画像信号重畳部により前記円形矢印画像を表示するための画像信号を生成する際に、前記表示部の上面を示す上面画像を、前記上面画像が示す前記表示部の前面及び背面と前記円形矢印が示す前記表示部の前面及び背面とが一致するように表示するための画像信号を生成するように前記画像信号重畳部へ指示することを特徴としている。
【００１９】
これによると、制御部はＯＳＤ処理部により円形矢印画像を表示する際に、上位装置部を上方から見た状態を示す上面画像をＯＳＤ処理部により表示する。上面画像は円形矢印の近傍、且つその向きが円形矢印の回転方向と整合性がとれるように表示される。例えば回転矢印の上方が上位装置部の背面を示す場合は、上面画像の上方が上位装置部の背面と一致する形状である上面画像が表示される。
【００２０】
また、上記目的を達成するために本発明の表示装置は、前記回転駆動部に対して前記表示部の回転指示を与えるための回転指示ボタンを含むリモコン装置を備え、前記回転指示ボタンの表面に、前記表示部の回転方向を指定するための時計回り方向の円形矢印、及び反時計回り方向の円形矢印が描画されていることを特徴としている。
【００２１】
これによると、外部操作装置として、回転駆動部に対して上位装置部の回転指示を与えるための回転指示ボタンを含むリモコン装置を備えている。回転指示ボタンの表面には、上位装置部の回転方向を指定するための時計回り方向の円形矢印、及び反時計回り方向の円形矢印が描画されている。このため、ユーザは回転指示ボタンを押下することにより、表示装置に対して回転指示を行うことができる。
【００２２】
また、上記目的を達成するために本発明の表示装置は、前記制御部が、前記表示部の回転指示を受け付けた際に、前記表示部の回転方向を示すための屈折部を備えた多角形矢印画像を表示するための画像信号を前記画像信号重畳部により生成して前記表示部に出力することを特徴としている。
【００２３】
これによると、制御部は、上位装置部の回転指示を受け付けた際に、上位装置部の回転方向を示す多角形矢印画像をＯＳＤ処理部によりモニタに出力する。なお多角形矢印画像は、矢印の直線部に少なくとも一つの屈折部を持った屈折矢印を示す画像である。これによりモニタには、回転方向を示す多角形矢印画像が表示され、ユーザが回転方向を視認できるようになる。
【発明の効果】
【００２４】
本発明によれば、回転指示を受け付けた際に、上位装置部の回転方向を示す円形矢印画像をＯＳＤ処理部によりモニタに出力する。これによりモニタには、回転方向を示す円形矢印画像が表示され、ユーザが回転方向を視認できるようになる。このため、回転方向を示す画像として直線矢印を用いる場合と比較して、より直感的に理解しやすい表現で回転方向をユーザに対して示すことができる。
【００２５】
また本発明によれば、オートターン機能の実施指示を受け付けた際に、上位装置部が回転可能である方向を示す複数の円形矢印画像を表示する。このため、回転可能方向を示す画像として直線矢印を用いる場合と比較して、より直感的に理解しやすい表現で回転可能方向をユーザに対して示すことができる。これにより、ユーザが回転方向を誤って指定してしまい、回転方向の再指定を行わなければならないといった二度手間を防止でき、利便性が向上する。
【００２６】
また本発明によれば、円形矢印画像を表示する際に、円形矢印画像の上方向及び下方向が上位装置部の前面及び背面のいずれを表すかを示す文字画像を表示する。このため円形矢印画像のみを表示する場合と比較して、より直感的に理解しやすい表現で回転可能方向をユーザに示すことができる。
【００２７】
また本発明によれば、円形矢印画像を表示する際に、上位装置部を上方から見た状態を示す上面画像を表示する。このため円形矢印画像のみを表示する場合と比較して、より直感的に理解しやすい表現で回転可能方向をユーザに対して示すことができる。
【００２８】
また本発明によれば、リモコン装置が含む回転指示ボタンの表面に、上位装置部の回転方向を指定するための時計回り方向の円形矢印、及び反時計回り方向の円形矢印が描画されている。このため、回転方向を示す矢印として直線矢印をボタンに描画した場合と比較して、より直感的に理解しやすい表現で回転方向をユーザに対して示すことができる。
【００２９】
また本発明によれば、回転指示を受け付けた際に、上位装置部の回転方向を示す多角形矢印画像をＯＳＤ処理部によりモニタに出力する。このため、回転方向を示す画像として直線矢印を用いる場合と比較して、より直感的に理解しやすい表現で回転方向をユーザに対して示すことができる。
【発明を実施するための最良の形態】
【００３０】
以下に本発明の実施形態を、図面を参照しながら説明する。なお、ここで示す実施形態は一例であり、本発明はここに示す実施形態に限定されるものではない。
【００３１】
〈１．内部構成について〉
図２は、本発明に係る液晶テレビ１（＝表示装置）を示すブロック構成図である。液晶テレビ１は、少なくとも、制御部１１、メモリ１２、ＥＥＰＲＯＭ１３、チューナ１４、信号処理部１５、音声回路１６、スピーカ１７、色再生回路１８、ＯＳＤ処理部１９、モニタ２０、操作ボタン群２１、リモコン受信部２２、回転駆動部２３、及び台座３０を含むように構成されている。また外部装置として、リモコン６０を備えている。
【００３２】
制御部１１は、液晶テレビ１におけるテレビ画像表示処理を実施するための各装置を制御する。これにより、チューナ１４により受信したテレビ放送の表示処理を統括制御する。制御部１１は、例えば複数のマイクロプロセッサから構成されている。また制御部１１は、各装置（例えば色再生回路１８等）の制御やデータの計算、加工処理等を行う中枢部分となっている。なお、図２に示される制御部１１が備える各機能部（図１に示す指示受付部１１ａ〜表示指示部１１ｃ）の詳細については後述する。
【００３３】
メモリ１２は、液晶テレビ１が保持する各種データを一時的に記録する媒体であり、例えば書き込み可能なＲＡＭ（Random Access Memory）等により構成されている。メモリ１２は、例えば制御部１１によって各種情報処理が行われる際の処理データや、ユーザから受けた指示命令等を一時的に記録しておくためのバッファメモリとしての役割を持つ。
【００３４】
ＥＥＰＲＯＭ１３は、半導体メモリの一種で、デバイスの利用者が書き込み、消去可能なＲＯＭである。フローティングゲートからドレインにトンネル効果を利用して電子を引き抜くことにより、電気的な操作のみで消去を行う。ＥＥＰＲＯＭ１３は回路基板に実装したままで書き込み、消去ができるため、利用時に書き換えが必要な用途、例えば機器の動作設定データや、利用者固有の情報を保存するのに用いられる。本発明では、オートターン機能の実施時においてＯＳＤ処理部１９が表示する矢印画像等を記録するのに用いる。
【００３５】
チューナ１４は、テレビ放送の選局、及び高周波信号の受信を行うと共に、高周波信号の増幅及び周波数変換を行うことにより中間周波信号を得る。得られた中間周波信号は、次の信号処理部１５に与えられる。
【００３６】
信号処理部１５は、チューナ１４から入力された中間周波信号の増幅及び検波を行うことにより、音声信号と画像信号とを得る。音声信号は音声回路１６に与えられ、Ｄ／Ａ変換及び増幅が行われた後、スピーカ１７より出力される。画像信号は色再生回路１８に与えられる。
【００３７】
色再生回路１８は、信号処理部１５から与えられた画像信号を、原色信号に変換する。変換により得られた原色信号は、ＯＳＤ処理部１９に与えられる。ＯＳＤ処理部１９は、文字情報等を示すための画像信号を原色信号に重畳する。ＯＳＤ処理部１９は例えば、オートターン機能が実行された場合において、回転方向を示す矢印画像等を表示すための画像信号を重畳する。重畳が行われた原色信号はモニタ２０に出力されて表示される。モニタ２０は、液晶素子やバックライト等から構成される表示装置である。
【００３８】
操作ボタン群２１は、ユーザが選局指示や電源の起動／停止指示等の各種指示を液晶テレビ１に対して行うためのものである。操作ボタン群２１により出力された指示は、制御部１１により受け付けられ、指示の内容に基づいて各種制御処理を行う。
【００３９】
リモコン受信部２２は、リモコン６０から送信される赤外線信号を受け付け、赤外線信号に含まれているリモコンコードを取得する。そしてリモコンコードに応じた制御指示を制御部１１に与える。リモコン６０は液晶テレビ１を遠隔操作するための外部装置である。なおリモコン６０の詳細については後述する。
【００４０】
回転駆動部２３は、液晶テレビ１を構成する部材のうち、少なくともモニタ２０を含む上位装置部と、前記上位装置部を支持する台座３０との接合点を回転軸として上位装置部を回転駆動する駆動部材である。なお上位装置部とは、例えば図２に示す例では、制御部１１〜回転駆動部２３を含む、台座３０に指示される部材の総称である。ただし回転駆動部２３については、その一部或いは全部が台座３０に組み込まれている形態であってもよい。
【００４１】
回転駆動部２３は具体的には、モーターや複数のギア等から構成される。なお、回転駆動部２３の詳細については、従来のオートターン機能を備える表示装置の回転駆動部と同内容であるため、ここでは説明を省略する。なお、上位装置部に含まれる装置としては、モニタ２０さえ含んでいれば、その他に含むべき装置種別は特に限定しない。
【００４２】
〈２．機能部の構成について〉
ここで、本発明に係る液晶テレビ１における回転方向表示処理を実施すための各機能部の関係を、図１の機能ブロック図を用いながら説明する。
【００４３】
図１に示すように本発明の回転方向表示処理は少なくとも、制御部１１が備える指示受付部１１ａ、駆動制御部１１ｂ、及び表示指示部１１ｃと、リモコン受信部１７と、ＯＳＤ処理部１９と、モニタ２０と、操作ボタン群２１と、回転駆動部２３と、台座３０と、リモコン６０とにより構成される。
【００４４】
指示受付部１１ａは、操作ボタン群２１及びリモコン受信部１７により発行される各種指示の待ち受けを行う。指示受付部１１ａは、例えばオートターン機能の実行指示や回転方向決定指示を受け付け、受け付けた指示の種別に応じて駆動制御部１１ｂ或いは表示指示部１１ｃに指示検知通知を与える。
【００４５】
駆動制御部１１ｂは、オートターン機能の回転方向決定指示を指示受付部１１ａが受け付けた際に、回転駆動部２３による液晶テレビ１の回転動作の駆動制御を行う。具体的には、回転駆動部２３が備える駆動モーターや回転部材に対する駆動信号を送信することにより、台座３０の支持部を回転軸として所定の角度への回転を行う。
【００４６】
表示指示部１１ｃは、オートターン機能の実行指示を指示受付部１１ａが受け付けた際に、後述するオートターン操作画面５０を表示するためのＯＳＤ表示実行指示をＯＳＤ処理部１９に与える。またオートターン機能の実行により回転駆動部２３による回転駆動が行われた場合等に、処理状況をＯＳＤ表示する指示をＯＳＤ処理部１９に与える。
【００４７】
〈３．オートターン操作画面について〉
ここで、本発明に係る液晶テレビ１のオートターン機能を実行するためのオートターン操作画面について、図４〜図８の画面図を用いながら説明する。なお、本発明のオートターン操作画面は、ＯＳＤ処理部１９が表示するアイコンの種別により、実施の形態１〜実施の形態４の四種類の実施形態をとることができる。
【００４８】
[実施の形態１]
図４は、本発明の第一の実施形態に係る液晶テレビ１において、オートターン機能の実行指示が検知された際にモニタ２０に表示されるオートターン操作画面５０の一例である。オートターン操作画面５０は少なくとも、円形矢印アイコン５１（＝円形矢印画像）、及び状態表示領域５２を含むように構成されている。
【００４９】
円形矢印アイコン５１ａは、矢印の直線部分が円弧状をした矢印画像であり、画面左端部に表示される。また円形矢印アイコン５１ｂは、円形矢印アイコン５１ａを左右反転させた形状の矢印アイコンであり画面右端部に表示される。ユーザは操作ボタン群２１の操作を行うことにより、どちらか一方の円形矢印アイコン５１を選択可能である。また状態表示領域５２は、液晶テレビ１が操作待ち受け状態であるか、或いはオートターン実施状態であるかの状態表示を行う。
【００５０】
選択中の円形矢印アイコン５１は円形矢印アイコン５１ａのように実線になり、非選択中の円形矢印アイコン５１は円形矢印アイコン５１ｂのように破線になる。この状態において決定ボタンが押下されると、図５に示す状態に遷移する。図５は、円形矢印アイコン５１ａが選択されることにより回転処理中となった画面を示したものである。なお選択されなかった円形矢印アイコン５１ｂは画面上より消去される。
【００５１】
[実施の形態２]
図６は、本発明の第二の実施形態に係る液晶テレビ１において、オートターン機能の実行指示が検知された際にモニタ２０に表示されるオートターン操作画面５０の一例である。オートターン操作画面５０は少なくとも、円形矢印アイコン５１、状態表示領域５２、及び前後表示アイコン５３を含むように構成されている。なお円形矢印アイコン５１、及び状態表示領域５２については、図４に示す実施の形態１と同内容であるため、説明を省略する。
【００５２】
前後表示アイコン５３は、円形矢印アイコン５１の上下に表示され、円形矢印アイコン５１が示す回転方向が液晶テレビ１を上面から見た場合の前面、或いは背面のどちらであるかを示すためのものである。図６に示す例では、円形矢印アイコン５１ａの上部に「背面」を示す前後表示アイコン５３ａが、下部に「前面」を示す前後アイコン５３ｂが表示されている。
【００５３】
また円形矢印アイコン５１ｂの上部に「背面」を示す前後表示アイコン５３ｃが、下部に「前面」を示す前後表示アイコン５３ｄが表示されている。このため例えば、円形矢印アイコン５１ａが選択されてオートターンが実行された場合、円形矢印アイコン５１ａの先端が示す背面方向に、画面左端部が回転移動することとなる。
【００５４】
[実施の形態３]
図７は、本発明の第三の実施形態に係る液晶テレビ１において、オートターン機能の実行指示が検知された際にモニタ２０に表示されるオートターン操作画面５０の一例である。オートターン操作画面５０は少なくとも、円形矢印アイコン５１、状態表示領域５２、モニタアイコン５４（＝上面画像）を含むように構成されている。なお円形矢印アイコン５１、及び状態表示領域５２については、図４に示す実施の形態１と同内容であるため、説明を省略する。
【００５５】
モニタアイコン５４は、真上から見下ろしたテレビ装置１を模式的に表した画像である。モニタアイコン５４は、円形矢印アイコン５１と組み合わせて表示することにより、円形矢印アイコン５１が示す回転方向をより理解しやすくするために用いられる。図７に示すように、モニタアイコン５４は円形矢印アイコン５１の回転軸中心の近傍に表示されている。これにより例えば、円形矢印アイコン５１ｂが選択されてオートターンが実行された場合に、液晶テレビ１を正面から見た場合における右端部が背面方向に回転移動することを、ユーザが容易に理解できる。
【００５６】
[実施の形態４]
図８は、本発明の第四の実施形態に係る液晶テレビ１において、オートターン機能の実行指示が検知された際にモニタ２０に表示されるオートターン操作画面５０の一例である。オートターン操作画面５０は少なくとも、屈折矢印アイコン５５、及び状態表示領域５２を含むように構成されている。なお状態表示領域５２については、図４に示す実施の形態１と同内容であるため、説明を省略する。
【００５７】
屈折矢印アイコン５５ａは、矢印の直線部分に一または複数の屈折部を持つ矢印アイコンであり、画面左端部に表示される。また屈折矢印アイコン５５ｂは、屈折矢印アイコン５５ａを左右反転させた形状の矢印アイコンであり画面右端部に表示される。ユーザは操作ボタン群２１の操作を行うことにより、どちらか一方の屈折矢印アイコンを選択可能である。
【００５８】
選択中の屈折矢印アイコン５５は屈折矢印アイコン５５ａのように実線になり、非選択中の屈折矢印アイコン５５は屈折矢印アイコン５５ｂのように破線になる。この状態において決定ボタンが押下されると、選択中の屈折矢印アイコン５５ａが示す方向へ回転処理が行われる。なお回転処理中は、画面上に屈折矢印アイコン５５ａのみが表示され、選択されなかった屈折矢印アイコン５５ｂは画面上より消去される。
【００５９】
〈４．リモコン装置の外観について〉
ここで、本発明の一実施形態に係るリモコン装置６０が備える操作ボタンの詳細について、図９のブロック図を用いながら説明する。
【００６０】
図９は、リモコン装置６０の表面に備えられた操作ボタン群の一例を示したブロック図である。図９に示すように操作ボタン群は、電源ボタン６１、オートターンボタン群６２、及び操作ボタン群６３を含むように構成されている。
【００６１】
電源ボタン６１は、液晶テレビ１の電源を起動させるためのリモコンコードを送信するためのボタンである。オートターンボタン群６２は、時計回りの円形矢印ボタンと、反時計回りの円形矢印ボタンを含むボタン群である。オートターンボタン群６２が含むいずれかのボタンが押下されると、ボタン表面に示されている回転方向に応じた回転駆動を液晶装置１に指示するためのリモコンコードが送信される。
【００６２】
このリモコンコードをリモコン受信部２２により受信した液晶テレビ１の制御部１１は、先述のオートターン操作画面５０において円形矢印アイコン５１が選択された場合と同じオートターン処理を実施する。なお、オートターンボタン群６２により指示されたオートターン処理実行中は、図５に示す円形矢印アイコン５１及び状態表示領域５２が、ＯＳＤ処理部１９によりモニタ２０に表示される。
【００６３】
操作ボタン群６３は、液晶テレビ１に対して選局や動作設定等の各種操作を行うためのリモコンコードを送信するボタンである。具体的には例えば、数字ボタンやカーソルボタン等が含まれている。
【００６４】
〈５．回転方向表示処理について〉
ここで、本発明の一実施形態に係る液晶テレビ１の回転方向表示処理を、図１及び図２のブロック図と、図３のフロー図と、図４〜図８の画面図とを用いながら説明する。
【００６５】
図３は、本発明に係る回転方向表示処理の処理フローを示したフローチャートである。本処理は、ＯＳＤ処理部１９が表示するメニュー画面等において、ユーザがリモコン６０を操作することによりオートターン機能の実行が選択された場合に開始される。また或いは、リモコン６０に備えられたオートターン実施ボタン（不図示）の押下により発信されるリモコンコードを検知することにより開始する形態であってもよい。
【００６６】
本処理の開始後、表示指示部１１ｃはステップＳ１１０において、ＯＳＤ処理部１９に対してオートターン操作画面５０の表示指示を与える。これを受けたＯＳＤ処理部１９は、ＥＥＰＲＯＭ１３からＯＳＤ画像生成用データを読み出す。そして円形矢印アイコン５１及び状態表示領域５２を表示するための画像信号を重畳し、モニタ２０に出力する。この結果、図４に示すオートターン操作画面５０が表示される。
【００６７】
次に指示受付部１１ａはステップＳ１２０において、円形矢印アイコン５１の選択指示を検知したかどうかの判定を行う。円形矢印アイコン５１の選択指示は、例えばリモコン６０の操作ボタン群６３に含まれる左右操作ボタン（不図示）により左右の選択が行われた場合等に発行される。
【００６８】
指示受付部１１ａが選択操作を検知すると、表示指示部１１ｃはステップＳ１３０において、選択中の円形矢印アイコン５１を点線表示、非選択中の円形矢印アイコン５１を破線表示する指示をＯＳＤ処理部１９に与える。例えば左選択のボタンが押下された場合、図４に示すように円形矢印アイコン５１ａが実線表示され、選択中状態であることが示される。逆に円形矢印アイコン５１ｂは破線表示され、非選択中状態であることが示される。
【００６９】
次に指示受付部１１ａは、所定時間以内に円形矢印アイコン５１の選択指示を受け付けたかどうかの判定を行う。所定時間を経過しても決定指示を受け付けなかった場合、円形矢印アイコン５１の表示を停止した後、本処理を終了する。所定時間内に決定指示を受け付けた場合、表示指示部１１ｃはステップＳ１５０において、非選択状態であった円形矢印アイコン５１を消去する指示をＯＳＤ処理部１９に与える。これにより例えば、図５に示すように円形矢印アイコン５１ａのみが表示される状態となる。
【００７０】
次に駆動制御部１１ｂはステップＳ１６０において、台座３０の指示点を回転軸として液晶テレビ１の上位装置部を前後方向に回転させる指示を、回転駆動部２３に対して与える。指示を受けた回転駆動部２３はモーター（不図示）などにより駆動する回転部材を用いて、上位装置部の回転を行う。例えば図５に示す例では、モニタ２０を正面から見た場合における左端部が背面方向、右端部が前面方向に移動する、つまりモニタ２０を上方から見た場合における時計回り方向に回転が行われる。
【００７１】
次に指示受付部１１ａはステップＳ１７０において、ユーザ操作によるオートターン機能の実行終了指示を受け付けたかどうかの判定を行う。実行終了指示を受け付けた場合、円形矢印アイコン５１の表示を停止した後、本処理を終了する。実行終了処理を受け付けていない場合、表示指示部１１ｃはステップＳ１１０に移行する。これにより再び図４に示すように複数の円形矢印アイコン５１が表示され、回転方向の選択待ち受け状態となる。
【００７２】
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【００７３】
従って本発明は、以下の形態にも適用可能である。
（Ａ）本実施形態では、回転方向を示す矢印として円形矢印アイコン５１、及び屈折矢印５５を用いているが、矢印の直線部分に角度がついた矢印であれば、この形状に限定されるものではない。例えば、９０度以上の屈折角度を複数備えた多角矢印を用いる形態であってもよい。また円形矢印の変形として、楕円形状の円形矢印を用いる形態であってもよい。
【００７４】
（Ｂ）本実施形態では、前後表示アイコン５３を用いる実施の形態２と、モニタアイコン５４を用いる実施の形態３とを個別に説明しているが、この二つのアイコンを同時に用いて回転方向の補助説明を行う形態であっても構わない。この場合、画面に表示すべき情報量は増加するが、ユーザにとってより回転方向を理解しやすくすることができる。
【００７５】
（Ｃ）本実施形態では、オートターン機能を備えた表示装置として液晶テレビ１を例として説明しているが、表示部を備えたこれ以外の装置において本発明を用いる形態でもよい。例えば、カーナビ、プラズマテレビ、パソコンモニタ等において用いる形態であってもよい。
【００７６】
（Ｄ）本実施形態では、回転方向表示処理に関わる各種機能部が、マイクロプロセッサ等の演算処理装置上でプログラムを実行することにより実現されているが、各種機能部が複数の回路により実現される形態でもよい。
【図面の簡単な説明】
【００７７】
【図１】は、本発明の表示装置が備える機能部の構成を示す機能ブロック図である。
【図２】は、本発明の表示装置を示す構成図である。
【図３】は、本発明の回転方向表示処理の処理フローを示したフロー図である。
【図４】は、本発明のオートターン操作画面の一例を示す画面図である。
【図５】は、本発明のオートターン操作画面の一例を示す画面図である。
【図６】は、本発明のオートターン操作画面の一例を示す画面図である。
【図７】は、本発明のオートターン操作画面の一例を示す画面図である。
【図８】は、本発明のオートターン操作画面の一例を示す画面図である。
【図９】は、本発明のリモコン装置の外観を示す外観図である。
【図１０】は、従来のオートターン操作画面の一例を示す画面図である。
【図１１】は、従来のオートターン操作画面の一例を示す画面図である。
【図１２】は、従来のリモコン装置の外観を示す外観図である。
【符号の説明】
【００７８】
１      液晶テレビ（表示装置）
１１    制御部
１７    リモコン受信部
１９    ＯＳＤ処理部（画像信号重畳部）
２０    モニタ（表示部）
２３    回転駆動部
３０    台座
６０    リモコン
【図１】
2009080186.tif 000003
【図２】
2009080186.tif 000004
【図３】
2009080186.tif 000005
【図４】
2009080186.tif 000006
【図５】
2009080186.tif 000007
【図６】
2009080186.tif 000008
【図７】
2009080186.tif 000009
【図８】
2009080186.tif 000010
【図９】
2009080186.tif 000011
【図１０】
2009080186.tif 000012
【図１１】
2009080186.tif 000013
【図１２】
2009080186.tif 000014